(57)【要約】  小さな入力荷重で大きな出力荷重を得るラッチ装置を得る。  保持部材６４の支持部６８を基準として、保持部材６４の一端側に保持部７０を設け、保持部材６４の他端側にカム部７２を設けて、ロッド７４を介してカム部７２同士を離間させることで、保持部７０同士を近接させるようにしている。すなわち、ロッド７４の移動によってカム部７２に作用する外力の大きさを変えることができるため、支持部６８を支点として、保持部７０による保持力を変えることができる。つまり、ロッド７４のストローク、保持部材６４の支持部６８の位置を変え、支持部６８からカム部７２までの距離よりも支持部６８から保持部７０までの距離を長くする。
2010092696.tif 000002
【特許請求の範囲】
【請求項１】
ストライカを保持可能な保持部が設けられた一対の保持部材と、
前記保持部を接離可能に支持する支持部と、
前記保持部材に設けられ、前記支持部を基準にして前記保持部の反対側に位置する被当接部と、
一対の前記保持部及び前記被当接部の間に、移動可能に設けられたロッドと、
前記ロッドを前記保持部側へ付勢する付勢部材と、
前記ロッドの外周面から突出して前記被当接部に当接し、ロッドが前記付勢部材の付勢力の抗する方向へ移動すると、前記被当接部を互いに離間する方向へ移動させ前記保持部を近接させる方向へ移動させる当接部と、
を含んで構成されたラッチ装置。
【請求項２】
前記被当接部又は前記当接部に、前記ロッドの移動量を前記保持部を近接させる回転力に変換させる傾斜カム面が形成された請求項１に記載のラッチ装置。
【請求項３】
前記支持部から前記被当接部に前記当接部が当たる部分までの距離よりも支持部から前記保持部までの距離を長くしている請求項１に記載のラッチ装置。
【請求項４】
前記被当接部の端部には、離間する方向へ突出し、前記保持部が前記ストライカを保持した状態で、前記支持部が取付けられたラッチケースに形成された孔部に係止される突出部が設けられた請求項１に記載のラッチ装置。
【発明の詳細な説明】
【技術分野】
【０００１】
本発明は、被保持体を保持するラッチ装置に関するものである。
【背景技術】
【０００２】
戸枠に嵌め込まれた引き戸を所定区間移動させる移動機構では、戸枠に設けられたストライカ（被保持体）を保持するキャッチャー（ラッチ装置）が設けられ、該キャッチャーを介して引き戸を移動させるようにしているものがある。【０００３】
例えば、特許文献１では、キャッチャー内に上下移動可能に設けられたキャッチャーストッパが掛合穴内に挿入可能とされており、この状態でキャッチャーがロックされる。そして、ストライカがキャッチャー内に進入すると、ケースの側壁に押され、キャッチャーが閉じてストライカを挟持すると共に、キャッチャー及びキャッチャーストッパに設けられたガイド溝を介してキャッチャーストッパが上方へ移動して掛合穴とのロック状態が解除される。これにより、付勢機構によってキャッチャーを介して可動体を移動させる。【０００４】
しかしながら、この特許文献１では、キャッチャーストッパが掛合穴から抜けるためには、キャッチャーストッパを上方へ移動させなければならない。一方、キャッチャーストッパには、キャッチャーを介して付勢機構により、水平方向の外力が常に掛かった状態となっている。
【特許文献１】特開２００７−３０９０８８号公報
【発明の開示】
【発明が解決しようとする課題】
【０００５】
本発明は、小さな入力荷重で大きな出力荷重を得るラッチ装置を提供する。
【課題を解決するための手段】
【０００６】
本発明の第１の態様において、ストライカを保持可能な保持部が設けられた一対の保持部材と、前記保持部を接離可能に支持する支持部と、前記保持部材に設けられ、前記支持部を基準にして前記保持部の反対側に位置する被当接部と、一対の前記保持部及び前記被当接部の間に、移動可能に設けられたロッドと、前記ロッドを前記保持部側へ付勢する付勢部材と、前記ロッドの外周面から突出して前記被当接部に当接し、ロッドが前記付勢部材の付勢力の抗する方向へ移動すると、前記被当接部を互いに離間する方向へ移動させ前記保持部を近接させる方向へ移動させる当接部と、を有するラッチ装置を提供する。【０００７】
上記の態様では、ストライカを保持可能な保持部が設けられた一対の保持部材を備えている。この保持部材は支持部で支持されており、保持部を接離可能としている。また、保持部材には、支持部を基準にして保持部の反対側に被当接部が設けられており、一対の保持部及び被当接部の間には、ロッドが移動可能に設けられている。【０００８】
ロッドは付勢機構によって、保持部側へ付勢されている。また、ロッドの外周面からは、被当接部に当接する当接部が突出しており、ロッドが付勢部材の付勢力の抗する方向へ移動すると、被当接部を互いに離間する方向へ移動させ保持部を近接させる方向へ移動させ、保持部によってストライカが保持される。【０００９】
ここで、支持部を基準として、保持部材の一端側に保持部を設け、保持部材の他端側に被当接部を設けて、ロッドを介して被当接部同士を離間させることで、保持部同士を近接させるようにしている。これにより、ロッドの移動によって被当接部に作用する外力の大きさを変えることができるため、支持部を支点として、被当接部を互いに離間させる外力を保持部による保持力に変換させることができる。【００１０】
つまり、ロッドのストローク、保持部材の支持部の位置を変えることで、てこの原理を利用して小さな力で大きな保持力を得ることができる。【００１１】
本発明の第２の態様は、本発明の第１の態様において、前記被当接部又は前記当接部に、前記ロッドの移動量を前記保持部を近接させる回転力に変換させる傾斜カム面を形成しても良い。【００１２】
上記の態様では、被当接部又は当接部に傾斜カム面を形成し、ロッドの移動量を保持部材の回転力に変換させ、保持部を近接させるようにしている。つまり、ロッドが軸方向へ押圧されると、保持部が近接して、ストライカが保持されることになる。【００１３】
本発明の第３の態様は、本発明の第１の態様において、前記支持部から前記被当接部に前記当接部が当たる部分までの距離よりも支持部から前記保持部までの距離を長くしても良い。【００１４】
上記の態様では、支持部から被当接部に当接部が当たる部分までの距離よりも支持部から保持部までの距離を長くすることで、てこの原理を利用して小さな力で大きな保持力が得られるようにしている。【００１５】
本発明の第４の態様は、本発明の第１の態様において、前記被当接部の端部には、離間する方向へ突出し、前記保持部が前記ストライカを保持した状態で、前記支持部が取付けられたラッチケースに形成された孔部に係止される突出部を設けても良い。【００１６】
上記の態様では、被当接部の端部に突出部を設け、保持部がストライカを保持した状態で、該突出部がラッチケースに形成された孔部に係止されるようにして、保持部材がガタ付かないようにしている。
【発明の効果】
【００１７】
本発明は、上記構成としたので、小さな力で大きな保持力を得ることができる。
【図面の簡単な説明】
【００１８】
【図１Ａ】本実施形態に係るラッチ装置が適用された移動装置を用いた引き戸の動作を示す説明図である。
【図１Ｂ】本実施形態に係るラッチ装置が適用された移動装置を用いた引き戸の動作を示す説明図である。
【図２】本実施形態に係るラッチ装置が適用された移動装置の概略分解斜視図である。
【図３】本実施形態に係るラッチ装置が適用された移動装置の概略断面図である。
【図４Ａ】本実施形態に係るラッチ装置を示す斜視図であり、保持部材が開いた状態を示している。
【図４Ｂ】本実施形態に係るラッチ装置を示す斜視図であり、保持部材が閉じた状態を示している。
【図５Ａ】本実施形態に係るラッチ装置を示す平面図であり、保持部材が開いた状態を示している。
【図５Ｂ】本実施形態に係るラッチ装置を示す平面図であり、保持部材が閉じた状態を示している。
【図６Ａ−Ｂ】図６Ａは、本実施形態に係るラッチ装置が適用された移動装置のケースの上部を示す、図１Ａに対応する概略平面図であり、図６Ｂは、本実施形態に係るラッチ装置が適用された移動装置のケースの下部を示す、図１Ａに対応する概略断面図である。
【図７Ａ−Ｂ】図７Ａは、本実施形態に係るラッチ装置が適用された移動装置のケースの上部を示す、図１Ｂに対応する概略平面図であり、図７Ｂは、本実施形態に係るラッチ装置が適用された移動装置のケースの下部を示す、図１Ｂに対応する概略断面図である。
【図８Ａ】本実施形態に係るラッチ装置が適用された移動装置を用いた引き戸の動作を示す説明図である。
【図８Ｂ】本実施形態に係るラッチ装置が適用された移動装置を用いた引き戸の動作を示す説明図である。
【図８Ｃ】本実施形態に係るラッチ装置が適用された移動装置を用いた引き戸の動作を示す説明図である。
【図９Ａ−Ｂ】図９Ａは、本実施形態に係るラッチ装置が適用された移動装置のケースの上部を示す、図８Ａに対応する概略平面図であり、図９Ｂは、本実施形態に係るラッチ装置が適用された移動装置のケースの下部を示す、図８Ａに対応する概略断面図である。
【図１０Ａ−Ｂ】図１０Ａは、本実施形態に係るラッチ装置が適用された移動装置のケースの上部を示す、図８Ｂに対応する概略平面図であり、図１０Ｂは、本実施形態に係るラッチ装置が適用された移動装置のケースの下部を示す、図８Ｂに対応する概略断面図である。
【図１１Ａ−Ｂ】図１１Ａは、本実施形態に係るラッチ装置が適用された移動装置のケースの上部を示す、図８Ｃに対応する概略平面図であり、図１１Ｂは、本実施形態に係るラッチ装置が適用された移動装置のケースの下部を示す、図８Ｃに対応する概略断面図である。
【発明を実施するための形態】
【００１９】
次に、本発明の実施の形態に係るラッチ装置が適用された移動体の移動装置について説明する。
図１Ａ及び図１Ｂには、移動体としての引き戸１０が示されており、枠体としての戸枠１２の上下に設けられたレール（図示省略）に沿って水平移動可能としている。この引き戸１０の移動によって、戸枠１２内の開口１４が閉鎖又は開放される。ここでは、この引き戸１０の上端部中央に、移動装置１６が設けられている。
【００２０】
（移動装置の構成）
ここで、移動装置の構成について説明する。
図２及び図３に示すように、移動装置１６は、略箱状のケース１８を備えている。このケース１８の長手方向の両端部には、ケース１８の高さ方向の下部に取付部２０、２２が設けられており、取付部２０、２２の中央部には、図示しない固定ネジを挿通可能な挿通穴２０Ａ、２２Ａがそれぞれ形成されている。
【００２１】
引き戸１０（図１参照）の上端面に設けられた収容穴２４（図１参照）にケース１８を収容し、挿通穴２０Ａ、２２Ａに固定ネジを挿通させ、収容穴２４の底部に固定ネジをねじ込みケース１８を引き戸１０に固定する。
【００２２】
また、ケース１８の高さ方向の中央部には、ケース１８の内壁面に、ケース１８の長手方向に沿って一対のレール２６が設けられている。このレール２６には、ケース１８の長手方向の両端に配置されるラッチユニット（ラッチ装置）２８、３０が載置されている。
【００２３】
ラッチユニット２８、３０は、ケース１８内をレール２６に沿ってスライドするスライダー３６、３８と、スライダー３６、３８の端部に設けられたラッチケース（保持機構）６６と、を含んで構成されている。
【００２４】
また、スライダー３６、３８の下部には、レール２６の下部から露出しケース１８の高さ方向の下部に位置して、スライダー３６、３８の抜け止めを行う抜け止め片３２、３４がそれぞれ設けられており、スライダー３６、３８と抜け止め片３２、３４との間でレール２６を挟持可能としている。そして、ラッチユニット２８、３０がケース１８内を移動するとき、このスライダー３６、３８を介してケース１８内を移動することで、ラッチユニット２８、３０がガタ付かないようにしている。
【００２５】
また、スライダー３６とスライダー３８の間には、ダンパ（減衰機構）４０が設けられている。ダンパ４０はシリンダ４２を備えており、シリンダ４２内には、粘性流体が充填されている。また、シリンダ４２内には、ピストン（図示省略）が設けられており、シリンダ４２内を往復移動可能としている。このピストンによって粘性流体の体積を圧縮して、ピストンに設けられたピストンロッド４４に減衰力が作用するようになっている。
【００２６】
このピストンロッド４４がスライダー３６に連結され、シリンダ４２がスライダー３８に連結されて、スライダー３６（ラッチユニット２８）又はスライダー３８（ラッチユニット３０）の移動時に、その移動速度が減衰される。
【００２７】
なお、ここでは、シリンダ４２及びピストンを含んで構成されるダンパ４０を例に挙げたが、スライダー３６（ラッチユニット２８）又はスライダー３８（ラッチユニット３０）の移動速度を減衰させることができれば良いため、ダンパは特に限定されるものではない。例えば、ラックとダンパギアを含んで構成されるダンパであっても良い。
【００２８】
一方、ラッチユニット２８側の抜け止め片３２の下部には、連結部４６が設けられており、引張りばね（付勢機構）４８の一端部が連結されている。ケース１８の取付部２２側には、連結部５０が設けられており、この連結部５０に引張りばね４８の他端部が連結されている。
【００２９】
そして、ラッチユニット２８がケース１８の取付部２０側に配置されている状態（図３参照）で、引張りばね４８には弾性エネルギ（付勢力）が蓄積された状態となる。なお、この引張りばね４８よる付勢力は、ダンパ４０による減衰力よりも大きいものとする。
【００３０】
ところで、ケース１８の高さ方向の上部に位置する、ケース１８の長手方向の両端部は開口となっており、戸枠１２に設けられたピン部材（ストライカ）５２、５４が進入可能とされている。ケース１８の長手方向の両端部には、一対のガイド片５６、５８がそれぞれ設けられており、ケース１８内へ行くに従ってお互いが徐々に近接する傾斜面となっている。このガイド片５６、５８によってピン部材５２、５４がそれぞれラッチユニット２８、３０内へ確実にガイドされることとなる。
【００３１】
また、ケース１８の高さ方向の上部には、ガイド片５６、５８に隣接して、矩形状の窓穴６０がそれぞれ形成されており、後述するが、ラッチユニット２８、３０がケース１８に対して移動規制された状態（いわゆるロック状態）で、ラッチユニット２８、３０に備えられた保持部材６４が該窓穴６０を通じて外側へ張出可能とされている。
【００３２】
さらに、ケース１８の高さ方向の上部中央には、ケース１８の長手方向に沿って一対の係合凹部８２が形成されており、係合凹部８２の表面には、ケース１８の長手方向に沿って所定の間隔で複数の爪部８４が設けられている。この係合凹部８２には、断面が略逆Ｕ字状のカバー８６が係合可能となっている。
【００３３】
このカバー８６の側壁には、爪部８４が係止される矩形穴８８が形成されており、カバー８６を係合凹部８２の上方から嵌め込み、矩形穴８８に爪部８４が係止する。この状態で、ダンパ４０が抜け止めされると共に、ダンパ４０の上方への浮き上がりが抑えられる。そして、カバー８６の上面には、長手方向の両端部に係合片９０がそれぞれ設けられており、この係合片９０が戸枠１２に設けられたレール（図示省略）と係合する。
【００３４】
（ラッチユニット）
ここで、ラッチユニット２８、３０について説明する。なお、ラッチユニット２８とラッチユニット３０は、抜け止め片３２の下部に設けられた連結部４６の有無による違いだけであり、他の構成は同じであるため、代表してラッチユニット２８について説明する。
【００３５】
図２、図４Ａ及び図４Ｂに示すように、ラッチユニット２８を構成するスライダー３６の一端部（ケース１８のガイド片５６側）には、略箱状のラッチケース６６が備えられている。
【００３６】
ラッチケース６６の一端部（ケース１８のガイド片５６側）に位置する、幅方向の両端部には、ラッチケース６６の高さ方向に沿って支持部６８が設けられており、該支持部６８に保持部材６４の略中央部が支持され、保持部材６４が揺動可能となっている。
【００３７】
一方、図５Ａ及び図５Ｂに示すように、保持部材６４は、一端側にピン部材５２を保持する保持部７０が設けられており、他端側には後述するカム部（被当接部）７２が設けられている。また、保持部材６４と保持部材６４の間には、ラッチケース６６を貫通するロッド７４が設けられている。
【００３８】
このロッド７４はラッチケース６６内から突出可能となっており、ロッド７４の外周面に形成されたストッパ７５とラッチケース６６との間に設けられたラッチバネ７６によって、ラッチケース６６から突出させる方向へ付勢されている。
【００３９】
また、ロッド７４の外周面からは、保持部材６４のカム部７２に当接する当接部７４Ａが突出している。図５Ａに示すように、保持部材６４が開いた状態では、保持部７０は支持部６８から離間する方向へ行くにしたがって互いに離間する方向へ向かっている。一方、カム部７２は、支持部６８から離間する方向へ行くにしたがって、互いに近接する方向へ向かっている。
【００４０】
このため、図５Ｂに示すように、ロッド７４がラッチバネ７６の付勢力の抗する方向へ移動すると、当接部７４Ａのカム部７２に当接する位置がずれ、当接部７４Ａがカム部７２の先端部に行くにしたがって、カム部７２同士が離間する。これにより、支持部６８を中心に保持部材６４が回転して、保持部７０同士が互いに近接する方向へ移動する。
【００４１】
つまり、保持部材６４の他端側にカム部７２を設け、ロッド７４の移動量を保持部材６４を回転させる回転力に変換して、保持部７０を近接させるようにしている。これにより、ロッド７４が軸方向へ押圧されると、保持部７０が近接して、ピン部材５２が保持される。
【００４２】
以上のように、保持部材６４の支持部６８を基準として、保持部材６４の一端側に保持部７０を設け、保持部材６４の他端側にカム部７２を設けて、ロッド７４を介してカム部７２同士を離間させることで、保持部７０同士を近接させるようにしている。
【００４３】
すなわち、ロッド７４の移動によってカム部７２に作用する外力の大きさを変えることができるため、支持部６８を支点として、保持部７０による保持力を変えることができる。つまり、ロッド７４のストローク、保持部材６４の支持部６８の位置を変え、支持部６８からカム部７２に当接部７４Ａが当たる部分までの距離よりも支持部６８から保持部７０までの距離を長くすることで、てこの原理を利用して小さな力で大きな保持力が得られるようにしている。
【００４４】
ここで、図４Ａに示すように、保持部７０の上面側には、内面がくり抜かれた状態で係合凹部７０Ａが形成されており、図４Ｂに示すように、保持部材６４が閉じた状態で、保持部７０と保持部７０の間には、隙間が設けられるようになっている。この隙間内にピン部材５２が係合可能とされている。
【００４５】
一方、保持部７０の下面側は、保持部材６４が閉じた状態で、ほとんど隙間が設けられないようにしている。保持部７０内にピン部材５２が係合された状態で、ピン部材５２の先端部を保持部７０の下面部が受けるようにしており、ピン部材５２と保持部材６４との間でガタ付かないようにしている。
【００４６】
また、図５Ａ及び図５Ｂに示すように、カム部７２の先端部には、互いに外側へ向かって突出する突出部７２Ａが設けられている。一方、図４Ａ及び図４Ｂに示すように、ラッチケース６６の側壁には、挿通穴（孔部）６６Ａが形成されており、保持部材６４が閉じた状態で、突出部７２Ａが挿通穴６６Ａへ挿通され、保持部材６４がピン部材５２を保持した状態で、保持部材６４がガタ付かないようにしている。
【００４７】
ところで、保持部材６４の下部には、レール２６の下部から露出しケース１８の高さ方向の下部に位置する係止片７８が設けられている。レール２６は取付部２０（図３参照）との間に隙間を設けており、図４Ａに示すように、保持部材６４が開いた状態で、係止片７８がレール２６の先端部に係止される。このとき、保持部材６４は窓穴６０を通じて外側へ張出す。
【００４８】
ここで、図２に示すように、ケース１８には、窓穴６０の下部に係止孔８０が形成されており、係止片７８がレール２６の先端部に係止された状態で、係止片７８の先端部が該係止孔８０内へ挿入される。この状態で、ラッチユニット２８はロックされる。
【００４９】
そして、ラッチユニット２８のロッド７４にピン部材５２が当接して、ロッド７４がラッチバネ７６の付勢力の抗する方向へ押圧されると、図４Ｂに示すように、保持部材６４は閉じるが、このとき、係止片７８の先端部が係止孔８０から抜けると共に、係止片７８はレール２６の先端部との係止状態が解除される（いわゆるロック解除）。
【００５０】
（移動装置の作用）
次に、本実施形態に係るラッチ装置が適用された移動装置の作用について説明する。
図１Ａ、図６Ａ及び図６Ｂに示すように、引き戸１０を閉鎖方向（矢印Ａ方向）へ移動させる。なお、図６Ａは、ケース１８の上部を示す、図１Ａに対応する概略平面図であり、図６Ｂは、ケース１８の下部を示す、図１Ａに対応する概略断面図である。
【００５１】
移動装置１６のガイド片５６（図２参照）がピン部材５２を通過し、図５Ａ及び図５Ｂに示すように、ピン部材５２がラッチユニット２８のロッド７４に当接して、ラッチバネ７６の付勢力の抗する方向へロッド７４が押圧されると、ロッド７４に設けられた当接部７４Ａの移動によって保持部材６４のカム部７２同士が押し広げられ、互いに離間する。これにより、支持部６８を中心に保持部材６４が回転し、保持部材６４が閉じて、保持部７０同士が互いに近接してピン部材５２を保持する。
【００５２】
このとき、図４Ａに示す係止片７８の先端部が、係止孔８０（図２参照）から抜けると共に、係止片７８はレール２６の先端部との係止状態が解除される（ロック解除される）。ラッチユニット２８がロックされた状態では、図６Ｂに示すように、引張りばね４８による弾性エネルギ（付勢力）が蓄積された状態であるため、ラッチユニット２８がロック解除されると、引張りばね４８の付勢力が作用する。
【００５３】
ラッチユニット２８はピン部材５２によってその移動が規制されているため、図１Ｂ、図７Ａ及び図７Ｂに示すように、引張りばね４８の付勢力はケース１８に作用することとなる。つまり、ラッチユニット２８を基準に、ケース１８が矢印Ａ方向へ移動し、該ケース１８を介して、引き戸１０が閉鎖方向へ移動する。なお、図７Ａは、ケース１８の上部を示す、図１Ｂに対応する概略平面図であり、図７Ｂは、ケース１８の下部を示す、図１Ｂに対応する概略断面図である。
【００５４】
ここで、ラッチユニット２８を基準に、ケース１８が矢印Ａ方向へ移動する際、図６Ａ及び図７Ａに示すように、ピストンロッド４４がシリンダ４２内に押込まれる。このため、ケース１８にはダンパ４０による減衰力が作用することとなる。したがって、引き戸１０は静かに閉鎖方向へ移動する。引き戸１０が完全に閉鎖されるとき、引き戸１０が戸枠１２に接触するが、そのときの衝撃音が防止される。
【００５５】
一方、図７Ａ及び図７Ｂに示す状態から、引き戸１０を開放方向（矢印Ａ方向と逆方向）へ移動させる。このとき、引き戸１０及びピン部材５２を介して、ラッチユニット２８を移動させるが、引張りばね４８の付勢力の抗する方向（矢印Ａ方向）へラッチユニット２８を移動させるため、引き戸１０はその分の荷重を受けることとなる。これにより、引き戸１０が無闇に開放されたりすることがないようにしている。
【００５６】
また、ラッチユニット２８が移動することで、ピストンロッド４４はシリンダ４２から引出されることとなる。このため、ラッチユニット２８にはピストンがシリンダ４２内を移動するときに発生する、いわゆる抗力（＜減衰力）が作用することとなる。
【００５７】
そして、ピン部材５２を介してラッチユニット２８を移動させ、保持部材６４の係止片７８がレール２６の先端部に到達すると、係止片７８がレール２６の先端部に係止され、係止片７８の先端部が該係止孔８０内へ挿入されて、保持部材６４は窓穴６０を通じて外側へ張出す。この状態で、ラッチユニット２８は移動規制される（ロック状態）。
【００５８】
そして、図９Ａに示すように、ピン部材５２は保持部材６４との係合状態が解除されるが、この状態では、図９Ｂに示すように、引張りばね４８による弾性エネルギ（付勢力）が蓄積された状態である。なお、図９Ａは、ケース１８の上部を示す、図８Ａに対応する概略平面図であり、図９Ｂは、ケース１８の下部を示す、図８Ａに対応する概略断面図である。
【００５９】
この状態で、図８Ａ及び図８Ｂに示すように、引き戸１０を開放方向（矢印Ｂ方向）へ移動させると、引張りばね４８及びダンパ４０による抗力は作用しないため、その分引き戸１０は軽くなる。
【００６０】
そして、さらに引き戸１０を開放方向（矢印Ｂ方向）へ移動させ、移動装置１６のガイド片５８（図２参照）がピン部材５４を通過し、図５Ａ及び図５Ｂに示すように、ピン部材５４がラッチユニット３０のロッド７４に当接し、ラッチバネ７６の付勢力の抗する方向へロッド７４が押圧される。
【００６１】
そして、ロッド７４に設けられた当接部７４Ａの移動によって保持部材６４のカム部７２同士が押し広げられ、互いに離間する。これにより、支持部６８を中心に保持部材６４が回転し、保持部材６４が閉じて、保持部７０同士が互いに近接しピン部材５４を保持する。
【００６２】
このとき、図４Ａに示す係止片７８の先端部が、係止孔８０（図２参照）から抜けると共に、係止片７８はレール２６の先端部との係止状態が解除される（ロック解除される）。そして、図１０Ａ及び図１１Ａに示すように、ラッチユニット３０を介してケース１８が移動することで、ピストンロッド４４がシリンダ４２内に押込まれる。
【００６３】
このため、ラッチユニット３０を介して、ケース１８にはダンパ４０による減衰力が作用する。なお、図１０Ａは、ケース１８の上部を示す、図８Ｂに対応する概略平面図であり、図１１Ａは、ケース１８の上部を示す、図８Ｃに対応する概略平面図である。
【００６４】
ここで、図１０Ｂ及び図１１Ｂに示すように、引張りばね４８はラッチユニット２８とケース１８に連結されているため、ラッチユニット３０がロック解除されても、引張りばね４８による付勢力はラッチユニット３０には作用しない。なお、図１０Ｂは、ケース１８の下部を示す、図８Ｂに対応する概略断面図であり、図１１Ｂは、ケース１８の下部を示す、図８Ｃに対応する概略断面図である。
【００６５】
以上、本実施形態では、引き戸に移動装置を設けるようにしたが、戸枠側に移動装置を設けても良い。この場合、引き戸側にピン部材が設けられることになる。また、本実施形態では、片引きタイプの引き戸について説明したが、引違いタイプの引き戸に適用させても良い。この場合、移動装置は２つ必要となる。さらに、ここでは、水平方向へ移動させる引き戸について説明したが、垂直方向へ移動させる引き戸に適用させても良いし、引出し装置などにこのラッチユニットを用いても良い。
【図１Ａ】
2010092696.tif 000003
【図１Ｂ】
2010092696.tif 000004
【図２】
2010092696.tif 000005
【図３】
2010092696.tif 000006
【図４Ａ】
2010092696.tif 000007
【図４Ｂ】
2010092696.tif 000008
【図５Ａ】
2010092696.tif 000009
【図５Ｂ】
2010092696.tif 000010
【図６Ａ−Ｂ】
2010092696.tif 000011
【図７Ａ−Ｂ】
2010092696.tif 000012
【図８Ａ】
2010092696.tif 000013
【図８Ｂ】
2010092696.tif 000014
【図８Ｃ】
2010092696.tif 000015
【図９Ａ−Ｂ】
2010092696.tif 000016
【図１０Ａ−Ｂ】
2010092696.tif 000017
【図１１Ａ−Ｂ】
2010092696.tif 000018
【国際調査報告】
2010092696.tif 000019
2010092696.tif 000020